(57)【要約】【課題】  搬送される被記録媒体の先端、又は、後端の突入時、又は、抜け出る時にローラ対の位置で発生する急激な負荷変動の作用力の発生とその伝播を抑えて位置誤差、プレ転写、転写チリ等の発生を防止して高品質の記録画像の形成が行われるようにする被記録媒体搬送装置、及び、その被記録媒体搬送装置を具備する転写装置、並びに、画像形成装置を提供する。【解決手段】  ローラ対に被記録媒体Ｐを搬送する上流側に設けられた最も近い搬送ローラ対１と、搬送ローラ対１を一体で保持する搬送ローラユニット２と、搬送ローラユニット２を被記録媒体Ｐの搬送方向Ｘと反対方向に退避可能に保持する搬送ローラ対退避手段３を具備する。【選択図】  図１
2006347710.tif 000002
【特許請求の範囲】
【請求項１】
被記録媒体をローラ対に搬送する被記録媒体搬送装置において、上記ローラ対を保持する搬送ローラユニットと、上記搬送ローラユニットを被記録媒体の搬送方向と反対方向に退避可能に保持する搬送ローラ対退避手段と、を備えたことを特徴とする被記録媒体搬送装置。
【請求項２】
請求項１に記載の被記録媒体搬送装置において、上記搬送ローラ対退避手段は、上記搬送ローラユニットを回動中心を中心として回動可能に保持する回動可能保持部材を備えていることを特徴とする被記録媒体搬送装置。
【請求項３】
請求項２に記載の被記録媒体搬送装置において、上記回動可能保持部材は、軸部材と、上記軸部材と係合する穴部材と、を備えていることを特徴とする被記録媒体搬送装置。
【請求項４】
請求項２又は３に記載の被記録媒体搬送装置において、上記回動可能保持部材の回動中心は、退避時における上記搬送ローラユニットの回動開始方向と、上記搬送ローラ対を回動駆動する回動駆動歯車を構成する駆動歯車と従動歯車の共通接線とが同方向となるように配置されていることを特徴とする被記録媒体搬送装置。
【請求項５】
請求項２、３、又は４に記載の被記録媒体搬送装置において、上記回動可能保持部材の回動中心は、上記搬送ローラ対を回動駆動する回動駆動歯車を構成する駆動歯車と従動歯車の各中心を結んだ線が垂直となり、且つ退避時における上記搬送ローラユニットの回動開始方向が水平となるように配置されていることを特徴とする被記録媒体搬送装置。
【請求項６】
請求項１、２、３又は４に記載の被記録媒体搬送装置において、上記搬送ローラ対は、回動駆動を伝達するタイミングベルトと、上記タイミングベルトを張架する駆動プーリと従動プーリと、上記タイミングベルトの周長変動を吸収するテンショナと、備えたことを特徴とする被記録媒体搬送装置。
【請求項７】
請求項１に記載の被記録媒体搬送装置において、上記搬送ローラ対退避手段は、上記搬送ローラユニットを平行移動可能に保持する平行移動可能保持部材を具備することを特徴とする被記録媒体搬送装置。
【請求項８】
請求項７に記載の被記録媒体搬送装置において、上記平行移動可能保持部材は、ピン部材と、上記ピン部材と係合する長穴部材を具備することを特徴とする被記録媒体搬送装置。
【請求項９】
請求項１乃至８のいずれか１項に記載の被記録媒体搬送装置において、上記搬送ローラ対を保持する上記搬送ローラユニットは、取り付け位置より被記録媒体の搬送方向側への回動、又は、平行移動による退避を制限するストッパを具備することを特徴とする被記録媒体搬送装置。
【請求項１０】
請求項９に記載の被記録媒体搬送装置において、上記搬送ローラ対を保持する上記搬送ローラユニットは、被記録媒体の搬送方向側に付勢力を与える付勢手段を具備することを特徴とする被記録媒体搬送装置。
【請求項１１】
請求項１乃至１０のいずれか１項に記載の被記録媒体搬送装置において、上記搬送ローラ対退避手段は、回動、又は、平行移動に際して振動を抑える１００ｇ・ｃｍ以上で３０００ｇ・ｃｍ以下の負荷付与部材を具備することを特徴とする被記録媒体搬送装置。
【請求項１２】
搬送される被記録媒体に記録画像を転写する転写装置において、搬送される被記録媒体に記録画像を転写する転写ローラ対と、上記転写ローラ対に被記録媒体を搬送する上記請求項１乃至１１のいずれか１項に記載の被記録媒体搬送装置を具備することを特徴とする転写装置。
【請求項１３】
請求項１２に記載の転写装置において、上記転写ローラ対は、二次転写ローラを具備することを特徴とする転写装置。
【請求項１４】
搬送される被記録媒体に記録画像を形成する画像形成装置において、搬送される被記録媒体に記録画像を形成する画像形成部と、上記画像形成部で記録画像を形成する被記録媒体を搬送する上記請求項１乃至１１のいずれか１項に記載の被記録媒体搬送装置を具備することを特徴とする画像形成装置。
【請求項１５】
請求項１４に記載の画像形成装置において、上記画像形成部は、電子写真方式の作像プロセスでトナーの記録画像を形成することを特徴とする画像形成装置。
【請求項１６】
請求項１５に記載の画像形成装置において、上記被記録媒体搬送装置は、転写ローラ対に被記録媒体を搬送することを特徴とする画像形成装置。
【請求項１７】
請求項１６に記載の画像形成装置において、上記転写ローラ対は、搬送される被記録媒体に記録画像に二次転写を行う二次転写ローラと、上記二次転写ローラと対向して配置された二次対向転写ローラを具備することを特徴とする画像形成装置。
【発明の詳細な説明】
【技術分野】
【０００１】
本発明は、給送される被記録媒体をローラ対に搬送する被記録媒体搬送装置、及び、その被記録媒体搬送装置を具備する転写装置、並びに、画像形成装置に関する。
【背景技術】
【０００２】
記録画像を担持する感光体ドラム、又は、中間転写ベルト等に所定の接触圧で圧接して記録画像の転写等を行う転写ローラに対して、被記録媒体を搬送する装置として種々のものが提案されている。
例えば、像担持体に対して、転写ローラの表面に弾性スポンジ層を設けた弾性転写ローラを圧接し、両者間に転写材を通過させて像担持体のトナー像を転写材に転写する画像形成装置において、転写ローラの硬度を３０度（ＪＩＳ  Ａ）以下とし、像担持体への圧接力を３００ｇｒ／ｃｍ2以下とすることによって、特段のクリーニング手段を別設することなく、低いバイアスで転写ローラのクリーニングを行う画像形成装置が知られている（特許文献１を参照）。
導電性芯材上に半導電性のゴム層を形成してなるゴムローラー状の転写ローラーを像担持体に圧接させてトナー画像転写用の電圧を印加し、ニップ部に転写材を通過させて、トナー画像を転写材上に転写し、転写ローラー上に付着したトナーは、転写ローラーに転接するクリーニングローラーに鏡像力により転着し、クリーニングローラーに転着したトナーはブレードにより除去するようにして、転写ローラをクリーニングするクリーニングローラーに対して専用の電源を必要としない画像形成装置におけるローラー転写装置も知られている（特許文献２を参照）。
所定の速度で回転しつつ表面に可視像が形成される像担持体、中間転写体等の像形成媒体と、像形成媒体に所定の接触圧で圧接し、像形成媒体との間の転写部位に進行する記録媒体に像形成媒体上の可視像を転写する転写ロールを有し、前記転写ロールを所定の方向に揺動可能に支持し、記録媒体が転写部位に突入する時および転写部位から抜け出る時に発生する衝撃力に応じて前記転写ロールを前記所定の方向に揺動させて前記衝撃力によって像形成媒体に加わる負荷変動を吸収する可動手段を備え、可動手段は、転写ロールを記録媒体が進行する方向と実質的に平行な方向に揺動可能に支持して、像担持体や中間転写体の速度変動を抑制して、画質欠陥のない良好な画像が得られるようにする画像形成装置も知られている（特許文献３を参照）。
これは、記録媒体の転写部位に突入する時および転写部位から抜け出る時に発生するショック変動を、２次転写ローラの揺動機構によって逃がす方式である。
然し、２次転写ローラが揺動するため、最適化された記録媒体の２次転写ローラへの進入状態が乱れ、転写チリやプレ転写といった転写不良を起こすおそれがあった。
２次転写部への用紙案内において、転写ローラ対のニップ形状のローラ食い込み量や巻付角度、或いは、ニップ部に至るガイド板形状の最適化で、画像転写時のプレ転写や転写チリの不具合を抑えることも知られている（特許文献４乃至７を参照）。
【０００３】
転写ガイドの転写前下ガイドの先端側に弾性体を固着し、且つ転写前下ガイド先端の弾性体を転写ニップ部での転写ニップ接線よりも感光ドラム側に位置させて、転写前下ガイド先端の弾性体上を通して転写ニップ部に突入される転写材の突入位置を、転写ニップ接線よりも感光ドラム側に位置させることにより、転写時のプレ転写や放電白抜けなどの発生が防止して、良好な画像が得られるようにする画像形成装置も知られている（特許文献４を参照）。
トナー像を担持する中間転写ベルトに対して、該トナー像を記録紙上に静電的に転写させる転写ローラが当接することで形成された転写ニップで転写を行って、この記録紙を転写ニップまで案内する第２ガイド部材の端部は、第１ガイド部材の規制箇所と転写ニップ入口とを結ぶ直線よりも中間転写ベルト側に位置して、この配置により記録紙の転写ニップへの進入部分よりも後端側部分が凸上に湾曲して、この結果、プレ転写が発生し得る領域の密着性を確保するようにして、プレ転写が発生し得る領域における像担持体と転写材との密着性を確保することでプレ転写を防止し、転写チリのない画像を形成することができる画像形成装置もしられている（特許文献５を参照）。
２次転写ローラがないと仮定した場合における中間転写ベルトの２次転写対向ローラに対する非巻き付き部をニップ入口側で部分的に２次転写対向ローラに接触させるように、２次転写ローラを中間転写ベルトに圧接せしめ、２次転写対向ローラの２次転写ローラに対する食い込み量を０．２ｍｍ以上、３．０ｍｍ以下に設定し、且つ、２次転写ローラに接触する直前における中間転写ベルトの移動方向延長線と、ニップ入口接線とのなす角度を５°以上に設定して、２次転写ニップよりも中間転写ベルトの移動方向上流側における中間転写ベルトと転写紙との密着不良に起因するプレ転写を、目視で確認させなくなるレベルまで有効に抑えることができる画像形成装置も知られている（特許文献６を参照）。
２次転写部における２次転写バイアスローラを、２次転写対向ローラよりも、中間転写ベルトの移動方向上流側の位置に配置することにより、２次転写部の転写ニップ部に向けて搬送される転写材が、プレ転写領域で該中間転写ベルトに予め密着されて、この結果、該プレ転写領域における転写材と中間転写ベルトとのギャップを原因とするプレ転写の発生が、装置の複雑化を招くことなく防止されるようにして、転写ニップ部に進入した転写材にトナー像が転写される際の、該転写ニップ部の転写材進入口部分でのプレ転写を防止することができる、簡素な構成の転写装置を備えた画像形成装置も知られている（特許文献７を参照）。
【０００４】
図７は、従来の被記録媒体搬送装置１００と、その被記録媒体搬送装置１００を具備する転写装置１１０、並びに、画像形成装置１５０の主要部の説明図である。
図７に示すカラープリンタとしての画像形成装置１５０は、画像形成部１５１のイエロー作像ユニット１５１（Ｙ）、マゼンタ作像ユニット１５１（Ｍ）、シアン作像ユニット１５１（Ｃ）、ブラック作像ユニット１５１（Ｂｋ）を備え、像担持体１５１ａの感光体１５１ａ1をタンデム型に配置している。
各イエロー作像ユニット１５１（Ｙ）、マゼンタ作像ユニット１５１（Ｍ）、シアン作像ユニット１５１（Ｃ）、ブラック作像ユニット１５１（Ｂｋ）に対して各一次転写ローラ１１１が対向配置されている。駆動ローラ１５１ａ21と従動ローラ１５１ａ22に張架された中間転写ベルト１５１ａ2に一次転写ローラ１１１により転写されたトナーの記録画像を、二次転写ローラ１１２とその二次転写ローラ１１２に対向して配置された二次対向転写ローラ１１２ａの位置で、被記録媒体給送部１５２から給送されて被記録媒体搬送装置１００のレジストローラから搬送される被記録媒体（Ｐ）の厚紙の記録用紙に二次転写が行われる。
【０００５】
厚紙の記録用紙先端、又は、後端が二次転写ローラ１１２と二次対向転写ローラ１１２ａの転写ローラ対に突入時、又は、被記録搬送装置１００のレジストローラを抜け出る時に、転写装置１１０の二次転写ローラ１１２と二次対向転写ローラ１１２ａの二次転写が行われる位置で発生する負荷変動は、中間転写ベルト１５１ａ2に伝播して、駆動ローラ１５１ａ21に伝わる。
駆動ローラ１５１ａ21の軸１５１ａ211は、回転ジョイント機構や減速機構を経由の後、駆動モータ１５１ａ212のＤＣモータ、又は、パルスモータに連結されている。
中間転写ベルト１５１ａ2は、駆動ローラ１５１ａ21に巻き付き、その摩擦駆動力により微少な移動量もコントロールされている。
前記した二次転写ローラ対で二次転写が行われる位置で発生する負荷変動が、同じく前記した駆動ローラ１５１ａ21で制御、緩衝できないと、若干の移動位置誤差が、その上流にある感光体１５１ａ1に対向した一次転写ローラ１１１の一次転写部に伝播して転写の位置誤差を発生して形成画像が乱れて品質が低下していた。
中間転写ベルト１５１ａ2の移動を制御すべき駆動ローラ１５１ａ21部、及び、伝達系には、いくつかの変動要因がある。それは、負荷変動による中間転写ベルト１５１ａ2の微少スリップ、或いは、伸びである。ジョイント機構や減速機構である歯車部での回転伝達時の撓み、或いは、モータの保持力が負荷変動に負ける等の理由によるものである。
【特許文献１】特許第２６５２１８０号
【特許文献２】特開平８−６３００９号公報
【特許文献３】特許第３５０５９６９号
【特許文献４】特開２００１−１１７３７５公報
【特許文献５】特開２００１−３５６５３８公報
【特許文献６】特開２００２−１４５５０公報
【特許文献７】特開２００２−７２７０９公報
【発明の開示】
【発明が解決しようとする課題】
【０００６】
従来の被記録媒体搬送装置、転写装置、並びに、画像形成装置においては、被記録媒体の記録用紙の先端、又は、後端が転写ローラ対のニップ部に突入する時、又は、抜け出る時にローラ対で発生する急激な負荷変動が関連する駆動系に伝播して位置誤差、プレ転写、転写チリ等が発生して形成される画像品質も乱れて低下すると言う問題が発生していた。
そこで本発明の課題は、このような問題点を解決するものである。即ち、被記録媒体の記録用紙の先端、又は、後端が転写ローラ対のニップ部に突入する時、又は、抜け出る時にローラ対で発生する急激な負荷変動が関連する駆動系に伝播することを抑えて位置誤差、プレ転写、転写チリ等の発生を防止して高品質の記録画像の形成が行われるようにする被記録媒体搬送装置、及び、その被記録媒体搬送装置を具備する転写装置、並びに、画像形成装置を提供することを目的とする。
【課題を解決するための手段】
【０００７】
上記目的を達成するために、請求項１に記載の本発明に係る被記録媒体搬送装置は、被記録媒体をローラ対に搬送する被記録媒体搬送装置において、上記ローラ対を保持する搬送ローラユニットと、上記搬送ローラユニットを被記録媒体の搬送方向と反対方向に退避可能に保持する搬送ローラ対退避手段と、を備えたことを特徴とする。
請求項２の発明は、請求項１に記載の被記録媒体搬送装置において、上記搬送ローラ対退避手段は、上記搬送ローラユニットを回動中心を中心として回動可能に保持する回動可能保持部材を備えていることを特徴とする。
請求項３の発明は、請求項２に記載の被記録媒体搬送装置において、上記回動可能保持部材は、軸部材と、上記軸部材と係合する穴部材と、を備えていることを特徴とする。
請求項４の発明は、請求項２又は３に記載の被記録媒体搬送装置において、上記回動可能保持部材の回動中心は、退避時における上記搬送ローラユニットの回動開始方向と、上記搬送ローラ対を回動駆動する回動駆動歯車を構成する駆動歯車と従動歯車の共通接線とが同方向となるように配置されていることを特徴とする。
請求項５の発明は、請求項２、３、又は４に記載の被記録媒体搬送装置において、上記回動可能保持部材の回動中心は、上記搬送ローラ対を回動駆動する回動駆動歯車を構成する駆動歯車と従動歯車の各中心を結んだ線が垂直となり、且つ退避時における上記搬送ローラユニットの回動開始方向が水平となるように配置されていることを特徴とする。
請求項６の発明は、請求項１、２、３又は４に記載の被記録媒体搬送装置において、上記搬送ローラ対は、回動駆動を伝達するタイミングベルトと、上記タイミングベルトを張架する駆動プーリと従動プーリと、上記タイミングベルトの周長変動を吸収するテンショナと、備えたことを特徴とする。
請求項７に記載の本発明は、請求項１に記載の被記録媒体搬送装置において、上記搬送ローラ対退避手段は、上記搬送ローラユニットを平行移動可能に保持する平行移動可能保持部材を具備する被記録媒体搬送装置であることを主要な特徴とする。
請求項８に記載の本発明は、請求項７に記載の被記録媒体搬送装置において、上記平行移動可能保持部材は、ピン部材と、上記ピン部材と係合する長穴部材を具備する被記録媒体搬送装置であることを主要な特徴とする。
請求項９に記載の本発明は、請求項１、２、３、４、５、６、７又は８に記載の被記録媒体搬送装置において、上記搬送ローラ対を一体で保持する上記搬送ローラユニットは、取り付け位置より被記録媒体の搬送方向側への回動、又は、平行移動による退避を制限するストッパを具備する被記録媒体搬送装置であることを主要な特徴とする。
請求項１０に記載の本発明は、請求項９に記載の被記録媒体搬送装置において、上記搬送ローラ対を一体で保持する上記搬送ローラユニットは、被記録媒体の搬送方向側に付勢力を与える付勢手段を具備する被記録媒体搬送装置であることを主要な特徴とする。
【０００８】
請求項１１に記載の本発明は、請求項１、２、３、４、５、６、７、８、９又は１０に記載の被記録媒体搬送装置において、上記搬送ローラ対退避手段は、回動、又は、平行移動に際して振動を抑える１００ｇ・ｃｍ以上で３０００ｇ・ｃｍ以下の負荷付与部材を具備する被記録媒体搬送装置であることを主要な特徴とする。
請求項１２に記載の本発明は、搬送される被記録媒体に記録画像を転写する転写装置において、搬送される被記録媒体に記録画像を転写する転写ローラ対と、上記転写ローラ対に被記録媒体を搬送する上記請求項１乃至１１の何れか一項に記載の上記被記録媒体搬送装置を具備する転写装置であることを最も主要な特徴とする。
請求項１３に記載の本発明は、請求項１２に記載の転写装置において、上記転写ローラ対は、二次転写ローラを具備する転写装置であることを主要な特徴とする。
請求項１４に記載の本発明は、搬送される被記録媒体に記録画像を形成する画像形成装置において、搬送される被記録媒体に記録画像を形成する画像形成部と、上記画像形成部で記録画像を形成する被記録媒体を搬送する上記請求項１乃至１１の何れか一項に記載の上記被記録媒体搬送装置を具備する画像形成装置であることを最も主要な特徴とする。
請求項１５に記載の本発明は、請求項１４に記載の画像形成装置において、上記画像形成部は、電子写真方式の作像プロセスでトナーの記録画像を形成する画像形成装置であることを主要な特徴とする。
請求項１６に記載の本発明は、請求項１５に記載の画像形成装置において、上記被記録媒体搬送装置は、転写ローラ対に被記録媒体を搬送する画像形成装置であることを主要な特徴とする。
請求項１７に記載の本発明は、請求項１６に記載の画像形成装置において、上記転写ローラ対は、搬送される被記録媒体に記録画像に二次転写を行う二次転写ローラと、上記二次転写ローラと対向して配置された二次対向転写ローラを具備する画像形成装置であることを主要な特徴とする。
【発明の効果】
【０００９】
本発明は、以下に説明するように構成されているので、請求項１の発明によれば、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項２の発明によれば、搬送ローラ対退避手段の回動可能保持部材の回動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項３の発明によれば、搬送ローラ対退避手段の回動可能保持部材の簡単な構造による回動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項４の発明によれば、回動するユニットが最小限の無駄の無い構成となり、搬送ローラ対退避手段の回動可能保持部材による、歯車ピッチ間距離変動を最小限に抑えて、回動の開始方向を最適化する回動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項５の発明によれば、回動するユニットが最小限の無駄の無い構成となり、搬送ローラ対退避手段の回動可能保持部材による、歯車ピッチ間距離変動を最小限に抑えて、回動の開始方向を、更に、最適化してスムーズな回動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
【００１０】
請求項６の発明によれば、回動するユニットが最小限の無駄の無い構成となり、搬送ローラ対退避手段の回動可能保持部材による、タイミングベルトの周長変動を吸収してスムーズな駆動伝達の回動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項７の発明によれば、搬送ローラ対退避手段の平行移動可能保持部材の平行移動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項８の発明によれば、搬送ローラ対退避手段の平行移動可能保持部材の簡単な構造による平行移動によって、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項９の発明によれば、搬送ローラ対を一体で保持する搬送ローラユニットが搬送される被記録媒体の突入時の正確な位置に位置決めが行われて、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
【００１１】
請求項１０の発明によれば、搬送ローラ対を一体で保持する搬送ローラユニットが搬送される被記録媒体の突入時の正確な位置に確実に位置決めが行われて、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項１１の発明によれば、搬送ローラ対を一体で保持する搬送ローラユニットが回動、又は、平行移動してから元の位置に復帰するまでの間の振動を抑えて、搬送される被記録媒体の先端、又は、後端の突入時、又は、抜け出る時にローラ対の位置で発生する急激な負荷変動の作用力の発生とその伝播を抑えて位置誤差等の発生を防止して高品質の記録画像の形成が行われるようにする被記録媒体搬送装置を提供することができるようになった。
請求項１２の発明によれば、転写ローラ対で転写が行われる位置で発生する急激な負荷変動の作用力の発生とその伝播を抑えて位置誤差、プレ転写、転写チリ等の発生を防止して高品質の記録画像の形成が行われるようにする被記録媒体搬送装置を具備する転写装置を提供することができるようになった。
請求項１３の発明によれば、転写ローラ対の二次転写ローラと二次対向転写ローラの二次転写が行われる位置で発生する急激な負荷変動の作用力の発生とその伝播を抑えて位置誤差、プレ転写、転写チリ等の発生を防止して高品質の記録画像の形成が行われるようにする被記録媒体搬送装置を具備する転写装置を提供することができるようになった。
請求項１４の発明によれば、搬送される被記録媒体の先端、又は、後端の突入時、又は、抜け出る時にローラ対の位置で発生する急激な負荷変動の作用力の発生とその伝播を抑えて位置誤差、プレ転写、転写チリ等の発生を防止して高品質の記録画像の形成が行われるようにする被記録媒体搬送装置を具備する画像形成装置を提供することができるようになった。
【００１２】
請求項１５の発明によれば、搬送される被記録媒体の先端、又は、後端の突入時、又は、抜け出る時にローラ対の位置で発生する急激な負荷変動の作用力の発生とその伝播を抑えて位置誤差、プレ転写、転写チリ等の発生を防止して高速で、更に、高品質の記録画像の形成が行われる被記録媒体搬送装置を具備する画像形成装置を提供することができるようになった。
請求項１６の発明によれば、転写ローラ対に搬送される被記録媒体の先端、又は、後端の突入時、又は、抜け出る時に転写ローラ対の位置で発生する急激な負荷変動の作用力の発生とその伝播を抑えて位置誤差、プレ転写、転写チリ等の発生を防止して高速で、更に、高品質の記録画像の形成が行われる被記録媒体搬送装置を具備する画像形成装置を提供することができるようになった。
請求項１７の発明によれば、転写ローラ対の二次転写ローラと二次転写ローラと対向して配置された二次対向転写ローラに搬送される被記録媒体の先端、又は、後端の突入時、又は、抜け出る時に転写ローラ対の二次転写ローラと二次転写ローラと対向して配置された二次対向転写ローラの位置で発生する急激な負荷変動の作用力の発生とその伝播を抑えて位置誤差、プレ転写、転写チリ等の発生を防止して高速で、更に、高品質の記録画像の形成が行われる被記録媒体搬送装置を具備する画像形成装置を提供することができるようになった。
【発明を実施するための最良の形態】
【００１３】
次に、本発明の実施の形態を図面を参照して詳細に説明する。
図１は、本発明の実施の形態例を示す被記録媒体搬送装置０の説明図である。
図１において、給送される被記録媒体をローラ対４に搬送する被記録媒体搬送装置０は、ローラ対４に被記録媒体（Ｐ）の記録用紙を矢印Ｘ方向に搬送する上流側に設けられた最も近い搬送ローラ対１と、搬送ローラ対１を保持する搬送ローラユニット２と、搬送ローラユニット２を被記録媒体の矢印Ｘ方向の搬送方向と反対方向に退避させる搬送ローラ対退避手段３を具備している。
搬送ローラ対１は、搬送ローラユニット２に保持されており、搬送ローラ対退避手段３の回動可能保持部材３ａの軸部材３ａ1と、軸部材３ａ1と係合する穴部材３ａ2との係合構造によって、搬送ローラユニット２を回動中心（Ａ）で回動して退避可能な構成になっている。
搬送ローラ対１を一体で保持する搬送ローラユニット２は、回動中心（Ａ）を中心として回動可能に係合されて、付勢手段２ｂのスプリング等を介して、矢印（Ｅ）方向の時計回り方向に一定の付勢力が与えられて、ストッパ２ａによって、搬送される被記録媒体の突入時の正確な位置に確実に位置決めが行われるようになっている。
搬送ローラ対退避手段３は、回動に際して振動を抑える１００ｇ・ｃｍ以上で３０００ｇ・ｃｍ以下の負荷を付与する負荷付与部材３ｃを具備している。
負荷付与部材３ｃは、軸部材３ａ1と穴部材３ａ2の係合部に配置されて所定の負荷が与えられるように構成されている。
具体的には、軸部材３ａ1の外周面と穴部材３ａ２との間に摩擦部材を介在させたり、一定トルクを有する図示しない専用ヒンジを外周面に設定する等して負荷が与えられる。
これにより、搬送ローラ対１としてのレジストローラ対を一体で保持する搬送ローラユニット２が、回動、又は、平行移動してから元の位置に復帰するまでの間の振動を抑えることができる。
従って、搬送ローラ対１としてのレジストローラ対を回転自在に保持する搬送ローラユニット２が回動中心（Ａ）を中心として回動、又は、平行移動してから元の位置に復帰するまでの間の振動を抑えて、搬送される被記録媒体（Ｐ）の先端、又は、後端がローラ対４に突入する時、又は、搬送ローラ対１を抜け出る時にローラ対４の位置で発生する急激な負荷変動の作用力の発生とその伝播を抑えて位置誤差等の発生を防止する。
【００１４】
図２は、本発明の実施の形態例を示す被記録媒体搬送装置０、及び、その被記録媒体搬送装置０を具備する転写装置１０、並びに、画像形成装置５０の主要部の説明図である。
図２において、画像形成装置５０は、画像形成部５１としての各イエロー作像ユニット５１（Ｙ）、マゼンタ作像ユニット５１（Ｍ）、シアン作像ユニット５１（Ｃ）、ブラック作像ユニット５１（Ｂｋ）から成り、各ユニットが像担持体５１ａの感光体５１ａ1を備えたタンデム型の電子写真記録方式のカラープリンタである。
転写装置１０のローラ対４である転写ローラ対１１の二次転写ローラ１１ｂと二次転写ローラ１１ｂと対向して配置された二次対向転写ローラ１１ｂ1の位置では、各作像ユニット（Ｙ）（Ｍ）（Ｃ）（Ｂｋ）の転写ローラ対１１の一次転写ローラ１１ａで中間転写ベルト５１ａ2（駆動ローラ５１ａ21と従動ローラ５１ａ22に張架）に転写されたトナーの記録画像を、被記録媒体搬送装置０から矢印Ｘ方向に搬送される被記録媒体上に二次転写する。
従って、被記録媒体（Ｐ）が厚紙である場合に、その先端、又は、後端が、二次転写ローラ１１ｂと二次対向転写ローラ１１ｂ1に突入した時、又は、搬送ローラ対１を抜け出る時に、二次転写ローラ１１ｂと二次対向転写ローラ１１ｂ1（転写ローラ対１１）の二次転写が行われる位置で発生する急激な負荷変動の作用力の発生とその伝播を抑えて位置誤差、プレ転写、転写チリ等の発生を防止することができる。
【００１５】
転写装置１０のローラ対４である転写ローラ対１１の矢印Ｘ方向の搬送方向の上流側に、被記録媒体搬送装置０が配置されている。
更に、被記録媒体搬送装置０の図示しない上流側で１枚ずつに分離して給送された被記録媒体は、停止された搬送ローラ対１のニップ部に到達し、ここで一定量、好適には２ｍｍ乃至３ｍｍ程度を撓ませられた後に、搬送ローラ対１のレジストローラ対が回転駆動された時に下流側、つまり、転写装置１０の転写ローラ対１１へと搬送される。
搬送ローラ対１のレジストローラ対の回転駆動タイミングと潜像形成手段５１ｃの光学系による書き込みタイミングは同期が取られ、これによって被記録媒体への形成される画像位置が最適化されるようになっている。
被記録媒体搬送装置０は、転写ローラ対１１の搬送方向の上流側で最も近く、且つ、搬送力の大きい搬送ローラ対１を軸部材３ａ1と軸部材３ａ1と係合する穴部材３ａ2によって搬送ローラユニット２を回動中心（Ａ）を中心として回動して退避可能な構成になっている。
図示するように、搬送ローラ対１を保持する搬送ローラユニット２は、回動中心（Ａ）を中心として回動可能に係合されて、付勢手段２ｂのスプリング等を介して、図示の矢印（Ｅ）方向の時計回り方向に一定の付勢力が与えられて、ストッパ２ａによって、正確な位置に確実に位置決めが行われる。
通常、被記録媒体（Ｐ）にストレスがかからないよう、搬送ローラ対１がレジストローラ対である場合のレジストローラの搬送速度は、転写ローラ対１１の搬送速度よりも、若干速め、若しくは、同等な速度となるように各ローラの直径や回転数が設定されている。
このため、被記録媒体（Ｐ）が、転写ローラ対１１の位置に突入する際は、速度差分だけ押し込み勝手になり、特に、厚紙の場合はこれが衝撃力となって、各作像ユニット（Ｙ）（Ｍ）（Ｃ）（Ｂｋ）の転写ローラ対１１の一次転写ローラ１１ａの一次転写部における微少な位置変動のショックジターの発生に繋がるおそれが生ずることになる。
然し、本発明の被記録媒体搬送装置０を具備する転写装置１０にあっては、この衝撃力によって、搬送ローラユニット２が保持する搬送ローラ対１のレジストローラ対が、図示の矢印（Ｅ）方向と反対方向の反時計方向回りに回動される。
これによって、衝撃力が吸収されるため、前述の位置変動のショックジターの発生を抑える事ができるのである。
搬送ローラ対１を保持する搬送ローラユニット２は、上述の被記録媒体の矢印Ｘ方向の搬送方向の上流側から送り込まれた被記録媒体が一定量、好適には２ｍｍ乃至３ｍｍ程度分撓むときに、被記録媒体から被記録媒体の矢印Ｘ方向の搬送方向へ作用力を受ける、即ち、図示の矢印（Ｅ）方向の時計回転方向に押されるが、ストッパ２ａにより初期位置より図示の矢印（Ｅ）方向の時計回転方向には回転することができないような構成になっているので、搬送ローラ対１のレジストローラ対を一体で保持する搬送ローラユニット２の回動による、被記録媒体への画像位置ズレが発生する事はない。
【００１６】
図３は、本発明の実施の形態例を示す被記録媒体搬送装置０の主要部の説明図である。上記実施形態と同一部分には同一符号を付して説明する。
図３の被記録媒体搬送装置０において、軸部材３ａ1と穴部材３ａ2によって搬送ローラユニット２を回動する回動中心（Ａ）は、搬送ローラユニット２と一体で保持された搬送ローラ対１の図示の矢印（Ｂ）方向の回動の開始方向と、搬送ローラ対１を回動駆動する回動駆動歯車列１ｃの固定される固定駆動歯車１ｃ1と回動されて従動する回動従動歯車１ｃ2の共通接線の矢印（Ｃ）方向と同方向となる位置に配置されている。
搬送ローラ対１を回動駆動する固定駆動歯車１ｃ1、及び、固定駆動歯車１ｃ1を回転駆動する図示しないモータは、搬送ローラユニット２と別体で本体に固定され、固定駆動歯車１ｃ1は矢印（Ｆ）方向の時計方向に回転駆動される。
下搬送ローラ１ｂの延長上には回動従動歯車１ｃ2が同軸で一体に設けられ、固定駆動歯車１ｃ1と最適なピッチ間距離で噛み合うことで、下搬送ローラ１ｂが矢印（Ｇ）方向の反時計方向に駆動伝達される。
搬送ローラ対１を回動駆動する固定駆動歯車１ｃ1と従動する回動従動歯車１ｃ2の共通接線である矢印（Ｃ）方向と、搬送ローラ対１の回動の開始方向（Ｂ）がほぼ一致するように、搬送ローラユニット２を回動する回動中心（Ａ）を設けてある。
固定駆動歯車１ｃ1と回動従動歯車１ｃ2の両歯車の中心を結んだ図示の矢印（Ｄ）方向の延長線上に搬送ローラユニット２を回動する回動中心（Ａ）を設けることで、回動する搬送ローラユニット２が無駄の無い必要最小限の構成となり、歯車ピッチ間距離変動を最小限に抑えて、搬送ローラ対１としてのレジストローラ対を一体で保持する搬送ローラユニット２の回動の開始方向を最適化することができる。
図３では、解りやすくするために固定駆動歯車１ｃ1と回動従動歯車１ｃ2の両歯車を斜めに設けた。
更に、好適には、固定駆動歯車１ｃ1と回動従動歯車１ｃ2の両歯車の中心を結んだ矢印（Ｄ）方向の延長線が垂直になるように両歯車の配置を行い、搬送ローラ対１の図示の（Ｂ）方向の回動の開始方向が水平になるようにした方が、回動する搬送ローラユニット２が無駄の無い構成となり、歯車ピッチ間距離変動を最小限に抑えて、被記録媒体（Ｐ）の厚紙の転写装置１０の転写ローラ対１１の位置に進入する際に発生する作用力方向の右水平方向と一致してスムーズな回動をしながら退避が行える。
【００１７】
図４は、本発明の他の実施の形態例を示す被記録媒体搬送装置０の主要部の説明図である。
被記録媒体搬送装置０における搬送ローラ対１は、回動駆動を伝達するタイミングベルト１ｄと、タイミングベルト１ｄを張架する固定される固定駆動プーリ１ｄ1と回動されて従動する回動従動プーリ１ｄ2と、固定駆動プーリ１ｄ1と回動従動プーリ１ｄ2に張架されたタイミングベルト１ｄの周長変動を吸収するテンショナ１ｄ3を具備している。
即ち、本体側に固定された固定駆動プーリ１ｄ1と回動可能な搬送ローラユニット２内に設けられる回動従動プーリ１ｄ2は、タイミングベルト１ｄを介して図示の矢印（Ｈ）方向の同方向に回転駆動伝達される。
タイミングベルト１ｄのテンションを保つために、回転時のタイミングベルト１ｄの緩み側にテンショナ１ｄ3が設けられ、図示の矢印（Ｉ）方向の左側方向にバネによって加圧されるようになっている。このバネは、搬送ローラユニット２自体を付勢するバネとは別個に設けられる。
従って、被記録媒体（Ｐ）の厚紙が転写ローラ対１１の位置に進入する際に、搬送ローラ対１としてのレジストローラ対を保持する搬送ローラユニット２は、最小限の無駄の無い構成となり、被記録媒体（Ｐ）の搬送方向（Ｘ）と反対方向の反時計方向に回動して衝撃を吸収するが、テンショナ１ｄ3がタイミングベルト１ｄの周長変動を吸収することができるので、回動変動のないスムーズな駆動伝達が行う被記録媒体搬送装置０を提供することができる。
【００１８】
図５は、本発明の他の実施の形態例を示す被記録媒体搬送装置０の主要部の説明図である。
図５において、被記録媒体搬送装置０における搬送ローラ対退避手段３は、搬送ローラ対１としてのレジストローラ対を回転自在に保持する搬送ローラユニット２を、図示の矢印（Ｊ）方向の平行移動可能に保持する平行移動可能保持部材３ｂを具備している。
平行移動可能保持部材３ｂは、ピン部材３ｂ1と、ピン部材３ｂ1と係合する長穴部材３ｂ2を具備する簡単な構造で搬送ローラ対１を一体で保持する搬送ローラユニット２を平行移動可能に保持している。
即ち、平行移動可能保持部材３ｂは、搬送ローラ対１のレジストローラ対を一体で保持する搬送ローラユニット２を一体で平行移動可能に保持し、平行移動動作によって退避を行うようになっている。
搬送ローラユニット２から突き出た、図示しない前後側板に設けられる上下のピン部材３ｂ1は、本体側に設けられる上下の長穴部材３ｂ2に図中、左右方向移動可能に係合して保持される。
勿論、ピン部材３ｂ1や長穴部材３ｂ2を設けるユニットは逆の構成でも良い。
【００１９】
搬送ローラ対１のレジストローラ対を一体で保持する搬送ローラユニット２は、上下の付勢手段２ｂのスプリングによって被記録媒体（Ｐ）の搬送方向（Ｘ）に付勢力が与えられて、上下のストッパ２ａによって、正確な位置に確実に位置決めが行われるようになっている。
従って、被記録媒体（Ｐ）の厚紙が転写ローラ対１１の位置に進入する際に、搬送ローラ対１を保持する搬送ローラユニット２は、被記録媒体（Ｐ）の矢印Ｘ方向の搬送方向と反対の右方向に平行移動することによって衝撃力が吸収されるために、前述の位置変動のショックジターの発生を抑えることができる。
搬送ローラ対退避手段３は、平行移動に際して振動を抑える１００ｇ・ｃｍ以上で３０００ｇ・ｃｍ以下の負荷付与部材３ｃを具備している。
負荷付与部材３ｃは、平行移動可能保持部材３ｂのピン部材３ｂ1と長穴部材３ｂ1との係合部に配置されて所定の負荷が与えるよう構成される。
具体的には、ピン部材３ｂ1の外周面に摩擦部材を当接させたり、一定トルクを有する専用ヒンジを外周面に設定する等して負荷が与えられる。
これにより、搬送ローラ対１のレジストローラ対を一体で保持する搬送ローラユニット２が、回動、又は、平行移動してから元の位置に復帰するまでの間の振動を抑える被記録媒体搬送装置０を提供することができる。
【００２０】
図６は、本発明の実施の形態例を示す被記録媒体搬送装置０を具備する画像形成装置５０の説明図である。
図６において、搬送される被記録媒体に記録画像を形成する画像形成装置５０は、搬送される被記録媒体に記録画像を形成する画像形成部５１と、画像形成部５１で記録画像を形成する被記録媒体（Ｐ）を搬送する上記各実施形態に記載の被記録媒体搬送装置０を具備している。
従って、搬送される被記録媒体（Ｐ）の先端、又は、後端の突入時、又は、抜け出る時にローラ対の位置で発生する急激な負荷変動の作用力の発生とその伝播を抑えて位置誤差、プレ転写、転写チリ等の発生を防止して高品質の記録画像の形成が行われるようにする被記録媒体搬送装置０を具備する画像形成装置５０を提供することができる。
画像形成部５１は、電子写真方式の作像プロセスでトナーの記録画像を被記録媒体に、高速で、更に、高品質で形成するようになっている。
画像形成装置５０は、被記録媒体にトナーの記録画像を形成する画像形成部５１と、画像形成部５１を下方で支持して被記録媒体を図示の矢印（Ｋ）方向に給送する被記録媒体給送部５２と、画像形成部５１の側面に形成した被記録媒体を排出して収納する排紙トレイ５３からなるフルカラーの記録画像を形成するフルカラープリンタである。
被記録媒体給送部５２は、各段に給紙カセット５２ａの給紙カセット５２ａ1と給紙カセット５２ａ2を備えている。更に、必要に応じて、図示しない別の給紙装置を設置することもできる。
画像形成装置５０は、画像形成部５１に、各作像ユニット（Ｙ）（Ｍ）（Ｃ）（Ｂｋ）の４個が着脱可能に搭載されて、電子写真方法の作像プロセスで被記録媒体にトナーの記録画像を形成することができるようになっている。
画像形成部５１では、像担持体５１ａであるベルト状をした中間転写体としての中間転写ベルト５１ａ2が所定の走行経路に沿ってエンドレスに各支持ローラの駆動ローラ５１ａ21と従動ローラ５１ａ22に張架されており、駆動ローラ５１ａ21によって図示の矢印（Ｙ）方向へ回転駆動される。
【００２１】
中間転写ベルト５１ａ2の上側の走行面に沿って、４つの各作像部に、各作像ユニット（Ｙ）（Ｍ）（Ｃ）（Ｂｋ）が着脱可能に搭載されて配置されている。
４個の各作像ユニット（Ｙ）（Ｍ）（Ｃ）（Ｂｋ）の各作像部では、像担持体５１ａの周囲に、像担持体５１ａの表面５１ａ11に帯電処理を行う帯電手段５１ｂ、画像情報を像担持体５１ａの表面５１ａ11にレーザ光で照射する潜像形成手段５１ｃ、像担持体５１ａの表面５１ａ11に露光されて形成された静電潜像を顕像化して現像する現像手段５１ｄ、及び、像担持体５１ａの表面５１ａ11上に残留するトナーを除去回収するクリーニング手段５１ｅの感光体クリーニングユニット５１ｅ1が配置されており、作像プロセスとしては、中間転写ベルト５１ａ2が、１回転して１つのカラー画像を形成するようになっている。
最初に、イエロー作像ユニット５１（Ｙ）の配置された作像部で、現像手段５１ｄによってイエロー（Ｙ）色のトナーを現像し、転写装置１０の転写ローラ対１１の一次転写ローラ１１ａによって中間転写ベルト５１ａ2に転写する。
次に、マゼンタ作像ユニット５１（Ｍ）の配置された作像部で、現像手段５１ｄによってマゼンタ（Ｍ）色のトナーを現像し、転写装置１０の転写ローラ対１１の一次転写ローラ１１ａによって中間転写ベルト５１ａ2に転写する。
次に、シアン作像ユニット５１（Ｃ）の配置された作像部で、現像手段５１ｄによってシアン（Ｃ）色のトナーを現像し、転写装置１０の転写ローラ対１１の一次転写ローラ１１ａによって中間転写ベルト５１ａ2に転写する。
最後に、ブラック作像ユニット５１（Ｂｋ）の配置された作像部で、現像手段５１ｄによってブラック（Ｂｋ）色のトナーを現像し、転写装置１０の転写ローラ対１１の一次転写ローラ１１ａによって中間転写ベルト５１ａ2に転写させる。
【００２２】
４個の各作像ユニット（Ｙ）（Ｍ）（Ｃ）（Ｂｋ）の作像部が、近接する中間転写ベルト５１ａ2の上側走行面とは異なった中間転写ベルト５１ａ2の下側の走行面上には、中間転写ベルト５１ａ2上に重ね転写された４色のトナーの記録画像を被記録媒体に二次転写する転写装置１０の転写ローラ対１１と、二次転写後の中間転写ベルト５１ａ2表面に残留するトナーを除去回収するクリーニング手段５１ｅの中間転写ベルトクリーニングユニット５１ｅ2がそれぞれ配置されている。
転写装置１０の転写ローラ対１１にて、重ねトナーの記録画像の二次転写を受けた被記録媒体を通過させた、矢印Ｘ方向に搬送される搬送経路の下流側に、トナーの記録画像を加熱定着の処理をする定着手段５１ｆの加熱ローラ５１ｆ1と加圧ローラ５１ｆ2が配置されている。
そして、定着手段５１ｆの加熱ローラ５１ｆ1と加圧ローラ５１ｆ2を通過した被記録媒体は排紙ローラ５１ｇにより排紙トレイ５３に排紙して収納される。
被記録媒体給送部５２においては、給紙カセット５２ａの給紙カセット５２ａ1と給紙カセット５２ａ2に未使用の被記録媒体が収容されており、回動可能に支持された底板５２ｂの底板５２ｂ1と底板５２ｂ2が、最上の被記録媒体をピックアップローラ５２ｃのピックアップローラ５２ｃ1とピックアップローラ５２ｃ2が当接可能な位置まで上昇する。
ピックアップローラ５２ｃのピックアップローラ５２ｃ1、又は、ピックアップローラ５２ｃ2の回転により、最上の被記録媒体は、給紙カセット５２ａの給紙カセット５２ａ1、又は、給紙カセット５２ａ2から送り出され、上記各請求項に記載の被記録媒体搬送装置０へと給送される。
【００２３】
被記録媒体搬送装置０から矢印Ｘ方向に搬送される被記録媒体は、転写装置１０の転写ローラ対１１の二次転写ローラ１１ｂと二次転写ローラ１１ｂと対向して配置された二次対向転写ローラ１１ｂ1の二次転写位置に、急激な負荷変動の作用力の発生とその伝播を抑えて位置誤差、プレ転写、転写チリ等の発生を防止して高品質の記録画像の形成が行われるように搬送される。
搬送ローラユニット２に一体で保持される搬送ローラ対１のレジストローラ対は、被記録媒体の搬送を、一時止めて、中間転写ベルト５１ａ2上の重ねトナーの記録画像と被記録媒体の先端との位置関係が所定の位置に一致するようにして、タイミングをとって回転駆動が開始するよう、制御されるようになっている。
従って、搬送される被記録媒体（Ｐ）の先端、又は、後端の突入時、又は、抜け出る時にローラ対の位置で発生する急激な負荷変動の作用力の発生とその伝播を抑えて位置誤差、プレ転写、転写チリ等の発生を防止して高速で、更に、高品質の記録画像の形成が行われるようにする被記録媒体搬送装置０を具備する画像形成装置５０を提供することができるようになった。
本発明の被記録媒体搬送装置は、電子写真方法の作像プロセスでトナーの記録画像を形成する複写機、ファクシミリ装置、プリンタあるいはこれ等の複合機等の画像形成装置に適用することが出来る。
【図面の簡単な説明】
【００２４】
【図１】本発明の実施の形態例を示す被記録媒体搬送装置の説明図である。
【図２】本発明の実施の形態例を示す被記録媒体搬送装置、及び、その被記録媒体搬送装置を具備する転写装置、並びに、画像形成装置の主要部の説明図である。
【図３】本発明の実施の形態例を示す被記録媒体搬送装置の主要部の説明図である。
【図４】本発明の他の実施の形態例を示す被記録媒体搬送装置の主要部の説明図である。
【図５】本発明の他の実施の形態例を示す被記録媒体搬送装置の主要部の説明図である。
【図６】本発明の実施の形態例を示す被記録媒体搬送装置を具備する画像形成装置の説明図である。
【図７】従来の被記録媒体搬送装置、その被記録媒体搬送装置を具備する転写装置、並びに、画像形成装置の主要部の説明図である。
【符号の説明】
【００２５】
０  被記録媒体搬送装置
１  搬送ローラ対、
１ａ  上搬送ローラ、
１ｂ  下搬送ローラ、
１ｃ  回動駆動歯車列、
１ｃ1  固定駆動歯車、
１ｃ2  回動従動歯車、
１ｄ  タイミングベルト、
１ｄ1  固定駆動プーリ、
１ｄ2  回動従動プーリ、
１ｄ3  テンショナ
２  搬送ローラユニット、
２ａ  ストッパ、
２ｂ  付勢手段
３  搬送ローラ対退避手段、
３ａ  回動可能保持部材、
３ａ1  軸部材、
３ａ2  穴部材、
３ｂ  平行移動可能保持部材、
３ｂ1  ピン部材、
３ｂ2  長穴部材、
３ｃ  負荷付与部材
４  ローラ対
１０  転写装置
１１  転写ローラ対、
１１ａ  一次転写ローラ、
１１ｂ  二次転写ローラ、
１１ｂ1  二次対向転写ローラ
５０  画像形成装置
５１  画像形成部、
５１（Ｙ）  イエロー作像ユニット、
５１（Ｍ）  マゼンタ作像ユニット、
５１（Ｃ）  シアン作像ユニット、
５１（Ｂｋ）  ブラック作像ユニット、
５１ａ  像担持体、
５１ａ1  感光体、
５１ａ11  表面、
５１ａ2  中間転写ベルト、
５１ａ21  駆動ローラ、
５１ａ22  従動ローラ、
５１ｂ  帯電手段、
５１ｃ  潜像形成手段、
５１ｄ  現像手段、
５１ｅ  クリーニング手段、
５１ｅ1  感光体クリーニングユニット、
５１ｅ2  中間転写ベルトクリーニングユニット、
５１ｆ  定着手段、
５１ｆ1  加熱ローラ、
５１ｆ2  加圧ローラ、
５１ｇ  排紙ローラ、
５２  被記録媒体給送部、
５２ａ  給紙カセット、
５２ａ1  給紙カセット、
５２ａ2  給紙カセット、
５２ｂ  底板、
５２ｂ1  底板、
５２ｂ2  底板、
５２ｃ  ピックアップローラ、
５２ｃ1  ピックアップローラ、
５２ｃ2  ピックアップローラ
５３  排紙トレイ
１００  被記録媒体搬送装置
１１０  転写装置、
１１１  一次転写ローラ、
１１２  二次転写ローラ、
１１２ａ  二次対向転写ローラ
１５０  画像形成装置
１５１  画像形成部、
１５１（Ｙ）  イエロー作像ユニット、
１５１（Ｍ）  マゼンタ作像ユニット、
１５１（Ｃ）  シアン作像ユニット、
１５１（Ｂｋ）  ブラック作像ユニット、
１５１ａ  像担持体、
１５１ａ1  感光体、
１５１ａ2  中間転写ベルト、
１５１ａ21  駆動ローラ、
１５１ａ211  軸、
１５１ａ212  駆動モータ、
１５１ａ22  従動ローラ
１５２  被記録媒体給送部
【図１】
2006347710.tif 000003
【図２】
2006347710.tif 000004
【図３】
2006347710.tif 000005
【図４】
2006347710.tif 000006
【図５】
2006347710.tif 000007
【図６】
2006347710.tif 000008
【図７】
2006347710.tif 000009